Podtech/llm-jp-corpus-v4-ja_patent huggingface dataset:
(57)【要約】      （修正有）【課題】弁当箱を保温し、水平に保つことができる弁当箱ケースを提供する。【解決手段】各々上部と下部からなる円球状の外側容器４、１６と、内側容器１５、１７とを備える。内側容器の外部に８つのアルミ玉６、１０を設置し、内側容器の上部と下部の接面部に弁当箱を収納する収納部を設け、その下に鉛を設置する。【選択図】図２
0003179083.tif 000002
【実用新案登録請求の範囲】
【請求項１】
アルミで出来た上部と底部に分ける、円球状の容器で、内側にもう１つ上部と底部に分け、中身が空洞で真空のアルミの容器を入れ、前記内側の容器の外側に内側
0003179083.tif 000004
上部、底部の円球を上下に中間の平面部分に構を設け、前記内側底部の構の下に鉛を埋め込むことにより、重力を使って弁当箱を水平にすることを特徴とする弁当箱の保温、水平に保つ機能を有する、二重の円球状の弁当箱ケース。
【考案の詳細な説明】
【技術分野】
【０００１】第１番目の外側の容器が円球状で上下に分ける構造、内側も円球状に窪んでおり、ファスナーを付けることで弁当箱を固定する、前記外側容器の内側の第２の円球状の容器の上部分、底部分の外側を円球状とし、上部分の円球状の外側に４つの構を設け、アルミ玉を入れ、前記内側の容器底部分の底側の容器の底部、底に鉛を埋め込み、前記第２番目の円球状の内側の容器の上部、底部の平面部に弁当箱を入れるための構を設け、前記弁当箱を入れるための構に弁当箱を入れ、前記ファスナーで前記外側の容器をしめて、前記内部の容器と共に弁当箱を固定することで、多少の傾く、移動をしても、前記弁当箱の中身が崩れにくくなり、同時に前記第２の内側の容器の内部を真空にしたことで、保温効果も有する。
【背景技術】
【０００２】大小、弁当箱があるが、保温は出来るものの、バッグに入れての移動で中身が崩れやすかった
【考案の概要】
【考案が解決しようとする課題】
【０００３】かなりの傾きや揺れでも弁当の中身を崩れにくくする【０００４】弁当箱の保温【０００５】弁当箱が縦、横になっても弁当の中身を崩れにくくする
【課題を解決するための手段】
【０００６】円球状の第１番目の外側の容器の内側も前記外側に沿って円球状にし、前記外側の容器の内側に第２の円球状の容器にし、前記第２の円球状の容器の外部の上部部分の容器、底部部分の容器に４ケ所、前記第２アルミ玉、前記第２円球状の容器の底部部分の鉛の重みによって、前記第２の円球状の容器の内部に作った構にある弁当箱を水平に保つ【０００７】前記第２の円球状の容器の上部分半分と前記第２の円球状の容器の底部分に挟まっている前記弁当箱を保温する
【考案の効果】
【０００８】弁当箱の容器が円球状で、重心は弁当箱の下にあり、前記容器の中部が真空と、保温効果もあり、円球状の内部容器が縦、横と水平に保つ
0003179083.tif 000003
崩れることを気にせずに済む
【図面の簡単な説明】
【０００９】
【図１】第１実施の形態の弁当箱ケースの外観
【図２】第１実施形態の弁当ケースの外部容器と内部容器のパーツの図と弁当箱の設置場所
【図３】弁当箱ケースの外観と点線で内部容器を示した図
【図４】内部容器の内部を点線にしたもの、又、アルミ缶の設置場所、弁当箱の入れる構
【符号の説明】
【００１０】１  弁当箱ケース
２  ファスナーの取っ手
３  ファスナー
４  上部外側容器
５  上部アルミ部分
６  上部アルミ玉
７  上部の弁当箱の構
８  弁当箱
９  底部の弁当箱の構
１０  底部のアルミ玉
１１  底部の内蔵された鉛
１２  底部アルミ部分
１３  上部内側容器内の真空部
１４  底部内側の容器の真空部
１５  上部内側容器
１６  底部外側容器
１７  底部内側容器
【産業上の利用可能性】
【００１１】  漁業などの海上で波に揺れる中での、弁当箱の中身の保護
【図１】
0003179083.tif 000005
【図２】
0003179083.tif 000006
【図３】
0003179083.tif 000007
【図４】
0003179083.tif 000008
【手続補正書】
【提出日】平成24年5月31日(2012.5.31)
【手続補正１】
【補正対象書類名】実用新案登録請求の範囲
【補正対象項目名】全文
【補正方法】変更
【補正の内容】
【実用新案登録請求の範囲】
【請求項１】
外壁となる、内部が円球状の容器を収納する凹部が球状で、上部と下部でなる、外側容器と、外壁となる外部が円球状で、前記外部が円球状、に、８つのアルミの玉を収納する溝を設けて、前記８つのアルミの玉を設置した、上部、と下部、とでなる、内側容器、の内部、を空洞で真空とし、前記上部と下部とでなる、内側容器の上部と下部の接面部に弁当箱、を収納する収納部を設け、前記内側容器の下部の、前記弁当箱、の底面、と前記内側容器の下部の接面部の、前記内側容器の下部の内部に鉛を設置することにより、前記外側容器、と前記内側容器の間の、前記アルミの玉が回転し、前記外側容器、と内側容器が、前記内側容器下部に設置した、前記、鉛、が、じゅうりょく、によって、常に前記外側容器が回転しても、前記内部容器が、前記、弁当箱、を水平に保とうと回転し、前記弁当箱を水平に保とうとすることを特徴とする弁当箱の保温、水平に保つ機能を有する、二重の円球状の弁当箱ケース。
【手続補正書】
【提出日】平成24年7月19日(2012.7.19)
【手続補正１】
【補正対象書類名】実用新案登録請求の範囲
【補正対象項目名】全文
【補正方法】変更
【補正の内容】
【実用新案登録請求の範囲】
【請求項１】
外壁となる内部が球状の凹部であり、上部と下部の一対の容器からなる外側容器と、外壁となる外部が円球状であり、前記外部に８つのアルミの玉を収納する溝を設けるとともに、内部を空洞にした、上部と下部の一対の容器からなる内側容器とからなり、前記内側容器の下部に、前記内側容器の上部と下部の接面部の内部に鉛を設置することにより、前記外側容器と前記内側容器の間の、前記アルミの玉が回転し、前記内側容器が重力、によって常に内側容器が、前記弁当箱を水平に保とうとすることを特徴とする、弁当箱の保温、水平に保つ機能を有する、二重の円球状の弁当箱ケース。
(57)【要約】      （修正有）【課題】滑走型ボートの推進力をモーターへと変更するエンジン駆動水上滑走型ボート電動化コンバートキットを提供する。【解決手段】バッテリー１と、コントローラー２と、モーター４からなる。【選択図】図１
0003179085.tif 000002
【実用新案登録請求の範囲】
【請求項１】
滑走型ボートの推進力を内燃機関から電動モーター駆動に組み替える構成部品であること
【考案の詳細な説明】
【技術分野】
【０００１】この考案は滑走型ボートに関するものである
【背景技術】
【０００２】従来、滑走型ボートの推進力として、内燃機動力を利用しており、騒音、排気ガスによる大気汚染の問題があった。電動化コンバートキットにて、滑走状態のスピードが出せて、騒音、環境問題の対策になる商品は初めてである。
【考案の概要】
【考案が解決しようとする課題】
【０００３】従来、滑走ボートの推進力として、内燃機動力を利用しており、騒音、排気ガスによる大気汚染の問題があった。
【課題を解決するための手段】
【０００４】バッテリー１を使用しコントローラー２での速度調整をスロットル３で行いモーター４を駆動し、スクリューシャフト５、スクリュー６を駆動させ推進力とする
【考案の効果】
【０００５】電気駆動による騒音、大気汚染の対策。
【図面の簡単な説明】
【０００６】
【図１】「部品構成を示した平面図である。」
【図２】「組み立て構成を示した平面図である」
【符号の説明】
【０００７】１バッテリー
２コントローラー
３スロットル
４モーター
５プロペラシャフト
６プロペラ
【図１】
0003179085.tif 000003
【図２】
0003179085.tif 000004
【手続補正書】
【提出日】平成24年6月5日(2012.6.5)
【手続補正１】
【補正対象書類名】実用新案登録請求の範囲
【補正対象項目名】全文
【補正方法】変更
【補正の内容】
【実用新案登録請求の範囲】
【請求項１】
滑走型ボートの推進力を、内燃機関から直流バッテリーを電源として、電圧、電流調整器にて、電気モーターを駆動するシステムへの変更を可能とする構成部品。
【手続補正書】
【提出日】平成24年7月20日(2012.7.20)
【手続補正１】
【補正対象書類名】実用新案登録請求の範囲
【補正対象項目名】全文
【補正方法】変更
【補正の内容】
【実用新案登録請求の範囲】
【請求項１】
滑走型ボートの推進力を内燃機関からモーターへと変更する構成部品であって、バッテリーと、コントローラーと、モーターとからなるエンジン駆動水上滑走型ボート電動化コンバートキット。
(57)【要約】      （修正有）【課題】たくし上げた袖のずれ落ちを防ぐ為の袖の留め具であって、たくし上げた袖がずれ落ちるのを防ぐ為、たくし上げ直しの手間がなくなり、かつ袖にシワが付きにくく、腕が圧迫される心配もなくなる袖の止め具を提供する。【解決手段】クリップ１の挟み部に軟質素材の挟み具２を設ける。また、クリップ１の下部に英文字Ｊ型のフック３を設ける。使用する時は、あらかじめ袖をたくし上げておき、たくし上げた袖をフック３で持ち上げてからクリップ１で袖の上部に挟み留める。【選択図】図２
0003179090.tif 000002
【実用新案登録請求の範囲】
【請求項１】
クリップの挟み部に軟質素材の挟み具を設け、クリップの下部にフックを設けた袖の留め具。
【考案の詳細な説明】
【技術分野】
【０００１】本考案は、たくし上げた袖のずれ落ちを防ぐ為の袖の留め具に関するものである。
【背景技術】
【０００２】従来、水仕事、家事や作業をする時など、袖が汚れたり濡れたりしない様に袖をたくし上げていた。
なお、たくし上げた袖がずれ落ちないように、輪状のゴムタイプの留め具が知られている。
【先行技術文献】
【０００３】
【特許文献１】特開２０１０−５７６６１号公報
【考案の概要】
【考案が解決しようとする課題】
【０００４】水仕事、家事や作業をする時など、袖が汚れたり濡れたりしない様に袖をたくし上げていたが、たくし上げた袖がずれ落ちて汚れたり濡れた手で何度もたくし上げ直すのは、袖が濡れたり、手間がかかっていた。
輪状のゴムタイプの留め具があるが袖にシワが付きやすく、長時間使用すると腕が圧迫されていた。
本考案は、以上の問題点を解決するためになされたものである。
【考案を解決するための手段】
【０００５】クリップの挟み部に軟質素材の挟み具を設け、クリップの下部にフックを設ける。
以上の構成よりなる袖の留め具。
【考案の効果】
【０００６】本考案により、たくし上げた袖がずれ落ちるのを防ぐ為、たくし上げ直しの手間がなくなる。
輪状のゴムタイプの留め具よりも袖にシワが付きにくく、腕が圧迫される心配もない。
【図面の簡単な説明】
【０００７】
【図１】本考案の正面図
【図２】本考案の背面図
【図３】本考案の左側面
【考案を実施するための形態】
【０００８】以下、本考案の実施の形態を説明する。
（イ）クリップ（１）の挟み部に軟質素材の挟み具（２）を設ける。
（ロ）クリップ（１）の下部に英文字Ｊ型のフック（３）を設ける。
本考案は以上のような構造である。
本考案を使用する時は、あらかじめ袖をたくし上げておき、たくし上げた袖をフック（３）で持ち上げてからクリップ（１）で袖の上部に挟み留める。
【符号の説明】
【０００９】（１）クリップ、（２）挟み具、（３）フック
【図１】
0003179090.tif 000003
【図２】
0003179090.tif 000004
【図３】
0003179090.tif 000005
(57)【要約】      （修正有）【課題】トレーラーの車幅を超える重機を搭載できるトレーラーにおいて、重機を搭載した際の荷重と走行中の遠心力によって生じる支持板の浮き上がりを防止できる様にした重機運搬用トレーラーを提供する。【解決手段】上下に鍔片３ａを備えた断面Ｉ形の左右のメインフレーム３の外側に上面が水平の補助フレーム３ｂ，３ｃを設け、その補助フレーム３ｂ，３ｃの上面に重機のクローラーを載置する支持板４を左右へ摺動可能に設ける。さらに、その支持板４を摺動させるシリンダー５を設け、しかも支持板４の内側下部に張出片４ａを一体的に形成し、その張出片４ａをメインフレーム３の鍔片３ａの下面に接するように配置する。【選択図】図３
0003179883.tif 000002
【実用新案登録請求の範囲】
【請求項１】
荷台に重機を搭載できるトレーラーであって、上下に鍔片を備えた断面Ｉ形の左右のメインフレームの外側に上面が水平の補助フレームを設け、その補助フレームの上面に重機の車輪又はクローラーを載置する支持板を左右へ摺動可能に設け、その支持板を摺動させるシリンダーを設け、しかも支持板の内側下部に張出片を一体的に形成し、その張出片をメインフレームの鍔片の下面に接するように配置したことを特徴とする、重機運搬用トレーラー。
【考案の詳細な説明】
【技術分野】
【０００１】
本考案は、ブルドーザーやパワーショベル等の重機を運搬するトレーラーに関し、詳しくは荷台を左右に拡幅する技術に関する。
【背景技術】
【０００２】
従来の一般的なトレーラーは、高速道路を通行可能な幅制限を満たすように設計されているが、このようなトレーラーで荷台の幅をやや超える重機を運搬することがある。その場合、重機の車輪やクローラーの一部が荷台からはみ出して走行中のカーブによる遠心力で横へずれることがあり、荷台から脱落する危険性があった。
【０００３】
この問題に対し、シャシーフレームの左右位置に前後に長い支持台を左右へ摺動可能に設け、運搬しようとする重機が荷台の幅を超える場合に、左右の支持台を外側へ張り出させて車輪やクローラーがはみ出さないように搭載できる技術が特許文献１で提案されている。しかし、重機の荷重と走行中の遠心力で支持板の内側が浮き上がり、搭載している重機が不安定になることがあった。
【先行技術文献】
【特許文献】
【０００４】
【特許文献１】特開平１０−２７８６５９号公報
【考案の概要】
【考案が解決しようとする課題】
【０００５】
本考案が解決しようとする課題は、従来のこれらの問題点を解消し、左右の支持板を外側へ張り出させて荷台の幅を超える重機を搭載する際、重機の荷重と走行中の遠心力によって生じる支持板の浮き上がりを防止することにある。
【課題を解決するための手段】
【０００６】
かかる課題を解決した本考案の構成は、
１）  荷台に重機を搭載できるトレーラーであって、上下に鍔片を備えた断面Ｉ形の左右のメインフレームの外側に上面が水平の補助フレームを設け、その補助フレームの上面に重機の車輪又はクローラーを載置する支持板を左右へ摺動可能に設け、その支持板を摺動させるシリンダーを設け、しかも支持板の内側下部に張出片を一体的に形成し、その張出片をメインフレームの鍔片の下面に接するように配置したことを特徴とする、重機運搬用トレーラー
にある。
【考案の効果】
【０００７】
本考案によれば、運搬しようとする重機がトレーラーの荷台の幅を超える場合に、シリンダーで左右の支持板を外側へ動かして張り出させ、その拡張された荷台に重機の車輪やクローラーがはみ出さないように搭載する。重機の荷重と走行中の遠心力によって支持板の内側が浮き上がろうとしても、支持板の張出片がメインフレームの鍔片の下面に接して浮き上がりが抑止され、搭載されている重機を安定させることができる。
【図面の簡単な説明】
【０００８】
【図１】実施例のトレーラーの側面図である。
【図２】実施例のトレーラーの平面図である。
【図３】図２のＡ−Ａ断面図である。
【図４】実施例の荷台の拡幅を示す説明図である。
【考案を実施するための形態】
【０００９】
以下、本考案を実施するための形態を実施例と図面に基づいて具体的に説明する。
【実施例】
【００１０】
図１〜３に示すトレーラー１は、前部にトラクター８と連結するための連結器（図示は省略）を備え、後部に車輪２を備えたセミトレーラーであって、上下に鍔片３ａを有する断面Ｉ形のメインフレーム３を左右に備えている。その左右のメインフレーム３の外側位置に上面が水平で前後方向に伸びる補助フレーム３ｂを設け、その左右の補助フレーム３ｂ間の位置に上面が水平で左右方向に伸びる補助フレーム３ｃを複数本設けている。
【００１１】
支持板４は前後に長い中空の箱状で、その幅は搭載しようとするブルドーザー７（重機）のクローラー７ａの幅より広幅に形成され、補助フレーム３ｂ，３ｃの上面に載置されている。内側の下部には水平に突出する張出片４ａが一体的に形成され、その張出片４ａがメインフレーム３の上側の鍔片３ａの下面に接するように配置されている。内側壁にはシリンダー５のロッド５ａを挿入して連結するための内筒４ｂが形成されている。
【００１２】
シリンダー５は油圧式で、左右の支持板４の間の位置に伸縮ロッド５ａを外側へ向けて横向きの姿勢で等間隔に複数取り付けられている。その伸縮ロッド５ａが支持板４の内筒４ｂに挿入されて連結され、支持板４の内筒４ｂとともに外筒５ｂで全体が覆われている。その他、符号６は支持板４をブルドーザー７のクローラー７ａから保護するための木板である。
【００１３】
図４（ａ）に示すように、運搬しようとするブルドーザー７がトレーラー１の荷台の幅を超えない場合は、シリンダー５を収縮させて左右の支持板４を内側へ格納し、トレーラー１の車幅と同幅にした状態で搭載する。図４（ｂ）に示すように、運搬しようとするブルドーザー７がトレーラー１の荷台の幅を超える場合は、シリンダー５を伸張させて左右の支持板４を外側へ張り出させ、その拡張された荷台にクローラー７ａがはみ出さないようにして搭載する。
【００１４】
これによって、クローラー７ａの下面全面が支持板４と接するから、走行中のカーブで遠心力が生じても横へずれ難くなり、支持板４から脱落する危険性が低減する。しかも、ブルドーザー７の荷重と走行中の遠心力によって支持板４の内側が浮き上がろうとしても、支持板４の張出片４ａがメインフレーム３の鍔片３ａの下面に接して浮き上がりが抑止され、搭載されているブルドーザー７が安定する。
【産業上の利用可能性】
【００１５】
本考案の技術は、ブルドーザーやパワーショベル等の重機を運搬するトレーラーに利用される。
【符号の説明】
【００１６】
１    トレーラー
２    車輪
３    メインフレーム
３ａ  鍔片
３ｂ  補助フレーム
３ｃ  補助フレーム
４    支持板
４ａ  張出片
４ｂ  内筒
５    シリンダー
５ａ  伸縮ロッド
５ｂ  外筒
６    木板
７    ブルドーザー（重機）
７ａ  クローラー
８    トラクター
【図１】
0003179883.tif 000003
【図２】
0003179883.tif 000004
【図３】
0003179883.tif 000005
【図４】
0003179883.tif 000006
(57)【要約】      （修正有）【課題】睡眠中に簡易に装着することによって、鼾を軽減して良質な睡眠を得ることを可能とする鼾軽減のゴムひもバンドを提供する。【解決手段】鼾軽減のゴムひもバンド１０は、両端に脱着手段を設けたゴムひも１１を人間の顎部から頭部に回して脱着手段１２、１２でとめることによって、顎の下がりを防止することができ、ゴムひもの両側部に各端部に脱着手段を有するバンド１３、１３を接合することができる。【選択図】図１
0003179806.tif 000002
【実用新案登録請求の範囲】
ゴムひもバンド▲１▼とゴムひもバンド▲２▼は接合部分▲３▼で接合している。▲１▼と▲２▼のゴムひもバンドの先端部分の裏面にマジックテープの掛ける部分▲５▼が付いている。その重ねるゴムひもバンドの表面にマジックテープの掛けられる部分▲６▼が付いている。▲１▼と▲２▼の二つのゴムひもバンドによって、頭部のバンドのズレを防ぎ、顎に掛かるゴムひもバンド▲４▼は鼾の時の口の開き・顎の下がりを防止する。
【考案の詳細な説明】
【考案の詳細な説明】
本考案は、鼾の時の口の開き・顎の下がりを防ぐことにより、鼾を軽減するものである。
▲１▼と▲２▼のゴムひもバンドは▲５▼と▲６▼のマジックテープによって、頭部のサイズに合わせることができる。
▲４▼のゴムひもバンドは顎に当たる部分の圧力によって、口の開きと顎の下がりを防止する。
鼾は、鼻と口の呼吸によって起きるが、特に口が開いた時口呼吸となり、舌が下がって喉の奥を塞ぐため無呼吸となり、非常に生命に危険な状態となる。
この様な状況を防止する考案であります。
【図１】
0003179806.tif 000003
【手続補正書】
【提出日】平成24年8月27日(2012.8.27)
【手続補正１】
【補正対象書類名】実用新案登録請求の範囲
【補正対象項目名】全文
【補正方法】変更
【補正の内容】
【実用新案登録請求の範囲】
【請求項１】
両端に脱着手段を設けたゴムひもを人間の顎部から頭部に回して前記脱着手段でとめることによって、顎の下がりを防止することを特徴とする鼾軽減のゴムひもバンド。
【請求項２】
前記ゴムひもの両側部に各端部に脱着手段を有するバンドを接合することを特徴とする請求項１記載の鼾軽減のゴムひもバンド。
【請求項３】
前記脱着手段を面ファスナーとすることを特徴とする請求項１または請求項２のいずれかに記載の鼾軽減のゴムひもバンド。
【手続補正２】
【補正対象書類名】明細書
【補正対象項目名】全文
【補正方法】変更
【補正の内容】
【考案の詳細な説明】
【技術分野】
【０００１】  この考案は、人間が睡眠中に発する鼾を軽減するために用いる鼾軽減のゴムひもバンドに関する。
【考案が解決しようとする課題】
【０００２】  人間が発する鼾は、睡眠中に顎が下がるとともに、口が開くことによって、鼻呼吸から口呼吸になるに伴い、喉部に下がった舌が喉の奥をふさぎ気道を狭めるため発生し、同時に、無呼吸状態を現出させるため、疲れを癒すという良質な唾眠を妨害するだけでなく、時に、生命を脅かすという問題があった。
そこで、この考案の目的は、睡眠中に簡易に装着することによって、鼾を軽減して良質な睡眠を得ることを可能とする鼾軽減のゴムひもバンドを提供することにある。
【課題を解決するための手段】
【０００３】  両端に脱着手段を設けたゴムひもを人間の顎部から頭部に回して脱着手段でとめることによって、顎の下がりを防止することをその要旨とする。
なお、ゴムひもの両側部に各端部に脱着手段を有するバンドを接合することができる。
【０００４】  また、脱着手段を面ファスナーとしてもよい。
【発明の効果】
【０００５】  かかる考案の構成によるときは、人間は、鼾軽減のゴムひもバンドの中央部を顎部にかけ、ゴムひもの両端部を頭部に回して、ゴムひもが適度に顎を押さえるように脱着手段によって装着して就寝すると、ゴムひもが睡眠中に顎部の下がりを防止することによって、鼻呼吸を維持することができ、鼾の発生を軽減することができる。
【０００６】  ゴムひもの両側部に接合された脱着手段を有するバンドは、ゴムひもと別の部分で頭部に装着することによって、鼾軽減のゴムひもバンドをずれにくくすることができる。
【０００７】  面ファスナーは、容易に取り付け取り外しが可能なため、脱着手段として適している。
【図面の簡単な説明】
【０００８】
【図１】全体斜視構成図
【図２】全体斜視説明図
【考案を実施するための形態】
【０００９】  以下、図面を以って考案の実施の形態を説明する。
【００１０】  鼾軽減のゴムひもバンド１０は、両端に脱着手段１１、１１を設けたゴムひも１２を人間Ｈの顎部Ｈ１から頭部Ｈ２に回して脱着手段１２、１２でとめることによって、顎の下がりを防止することができ、ゴムひもの両側部に各端部に脱着手段を有するバンド１３、１３を接合することができる（図１、図２）。
【００１１】  脱着手段１２、１２を面ファスナーとしてもよい。なお、図１は、鼾軽減のゴムひもバンド１０の構成を示している。また、図２は、人間に装着した状態を示しており、脱着手段に面ファスナーを使用している。
【符号の説明】Ｈ…人間
Ｈ１…顎部
Ｈ２…顎部
１０…鼾軽減のゴムひもバンド
１１…ゴムひも
１２…脱着手段
１３…バンド
【手続補正４】
【補正対象書類名】図面
【補正対象項目名】図１
【補正方法】変更
【補正の内容】
【図１】
0003179806.tif 000004
【手続補正５】
【補正対象書類名】図面
【補正対象項目名】図２
【補正方法】変更
【補正の内容】
【図２】
0003179806.tif 000005
(57)【要約】      （修正有）【課題】園児が製作した作品は画用紙に描いたもの、粘土を用いた細工物など大きさがさまざまでコンパクトに収納出来る画用紙庫を提供する。【解決手段】上板１１、側板、底板、裏板１４、桟木１５からなり、表面が開放された直方体状の箱で、その箱は棚板２１と桟木１５により作品を収納でき、前方の下部と後方の上部に留木２１１を備えた棚板２１を複数、桟木に差し込めるようにして画用紙庫とする。【選択図】図２
0003179808.tif 000002
【実用新案登録請求の範囲】
【請求項１】
棚板は自由に桟木に差し込む方式で、画用紙のように薄いものは何枚も収納できる、粘土細工のように嵩のある作品は棚板の数を減らし、重量物であれば棚板を数枚重ねれば対応できることを特徴とした画用紙庫。
【請求項２】
画用紙に描いた作品は時にシワがよっているが、棚板の間に挟めばシワが取れる、棚板の数を調整すれば薄いものも、嵩のあるものも、重量物も柔軟にかつコンパクトに収納できることを可能にした棚板。
【考案の詳細な説明】
【技術分野】
【０００１】本考案は木製の画用紙庫に関する。
【背景技術】
【０００２】園児が画用紙に描いた作品・粘土細工などをコンパクトに収納したい。
【考案の概要】
【考案が解決しようとする課題】
【０００３】園児が製作した作品は画用紙に描いたもの、粘土を用いた細工物など大きさがさまざまでコンパクトに収納しにくい。
【課題を解決するための手段】
【０００４】棚板は自由に桟木に差し込む方式で、画用紙のように薄いものは何枚も収納できる、粘土細工のように嵩のある作品は棚板の数を減らし、重量物であれば棚板を数枚重ねれば対応できることを特徴とした画用紙庫。
【考案の効果】
【０００５】画用紙に描いた作品は時にシワがよっているが、棚板の間に挟めばシワが取れる、棚板の数を調整すれば薄いものも、嵩のあるものも、重量物も柔軟にかつコンパクトに収納できる。
【図面の簡単な説明】
【０００６】
【図１】本考案の画用紙庫の構成（斜視図）
【図２】本考案の画用紙庫の構成（画用紙入と断面図）  （ａ）画用紙入  （ｂ）Ａ−Ａ断面図
【考案を実施するための形態】
【０００７】図１は本考案の画用紙庫の構成（斜視図）である。
画用紙庫１は、上板１１、側板１２、底板１３、裏板１４、桟木１５からなり、表面が開放された直方体状の箱で、その箱は棚板２１と桟木１５により作品を収納する。
【０００８】図２は本考案の画用紙庫の構成を説明するための図で、（ａ）は棚板、（ｂ）は断面図を示す。
（ａ）は棚板２１と棚板２１で挟み込めば作品のシワも取れる。
（ｂ）はＡ−Ａ断面図であり桟木１５に棚板２１を差し込んで使用する。薄い作品は多        くの棚板を使い、重量物の作品は棚板を数枚重ねて使って作品を収納する。
【産業上の利用可能性】
【０００９】収納し易い画用紙庫を提供する。
【符号の説明】
【００１０】１  画用紙庫
１１  上板
１２  側板
１３  底板
１４  裏板
１５  桟木
２  画用紙入
２１  棚板
２１１  留木
３  画用紙
【図１】
0003179808.tif 000003
【図２】
0003179808.tif 000004
【手続補正書】
【提出日】平成24年8月28日(2012.8.28)
【手続補正１】
【補正対象書類名】実用新案登録請求の範囲
【補正対象項目名】全文
【補正方法】変更
【補正の内容】
【実用新案登録請求の範囲】
【請求項１】
上板、側板、底板、裏板、桟木からなり、表面が開放された直方体状の箱で、その箱は棚板と桟木により作品を収納でき、前方の下部と後方の上部に留木を備えた棚板を複数、桟木に差し込めるようにしたことを特徴とする画用紙庫。
【手続補正２】
【補正対象書類名】明細書
【補正対象項目名】０００８
【補正方法】変更
【補正の内容】
【０００８】  図２は本考案の画用紙庫の構成を説明するための図で、（ａ）は棚板、（ｂ）は断面図を示す。
（ａ）は棚板２１と棚板２１で挟み込めば作品のシワも取れる。
（ｂ）はＡ−Ａ断面図であり桟木１５に棚板２１を差し込んで使用する。薄い作品は          多くの棚板を使い、重量物の作品は棚板を数枚重ねて使って作品を収納する。
前方の下部と後方の上部に留木を備えた棚板を複数、桟木に差し込めるようにした画用紙庫である。
(57)【要約】      （修正有）【課題】幼児がお昼寝で使用したベッドをコンパクトに収納し、埃から守る幼児ベット庫を提供する。【解決手段】台車１と、ベッド３を収納する箱２を備え、台車１に複数のベッド３を乗せて箱２に収容する。【選択図】図２
0003179809.tif 000002
【実用新案登録請求の範囲】
【請求項１】
数個のベッドを運ぶ台車であって、台車を傾けた場合のみ戸車で移動できる。床に置いた場合はゴム製の足と重石で転倒を防止したことを特徴とした幼児用ベッド庫。
【請求項２】
台車を収納する箱であって、ベッドを埃から守り、園児のいたずらによって崩れ落ちる危険を防ぐことを特徴とする請求項１記載の幼児用ベッド庫の箱。
【考案の詳細な説明】
【技術分野】
【０００１】本考案は木製（スチールで補強された）の幼児用ベッド庫に関する。
【背景技術】
【０００２】幼児がお昼寝で使用したベッドをコンパクトに収納し、まとめて移動させたい。
【考案の概要】
【考案が解決しようとする課題】
【０００３】幼児がお昼寝で使用したベッドをコンパクトに収納し、埃からも守りたい。保育士にとっては多くのベッドを移動させるには保育士の職業病の１つである腰痛になりやすい。
【課題を解決するための手段】
【０００４】数個のベッドを運ぶ台車であって、台車を傾けた場合のみ戸車で移動できる。床に置いた場合はゴム製の足と重石で転倒を防止したことを特徴とした幼児用ベッド庫。【０００５】台車を収納する箱であって、ベッドを埃から守り、園児のいたずらによって崩れ落ちる危険を防ぐことを特徴とする請求項１記載の幼児用ベッド庫の箱。
【考案の効果】
【０００６】保育士は数個のベッドを移動するとき台車を傾ければよいので、保育士の職業病の１つである腰痛になりやすいが、本考案の幼児用ベッド庫では移動での腰の負担が極めて少なくなる。
【図面の簡単な説明】
【０００７】
【図１】本考案の幼児用ベッド庫の構成（斜視図）
【図２】本考案の幼児用ベッド庫の構成（断面図と斜視図）  （ａ）断面図  （ｂ）斜視図
【考案を実施するための形態】
【０００８】図１本考案の幼児用ベッド庫の構成（斜視図）である。
台車１は、補強枠１１、戸車１２、ゴム製足１３、重石１４、前板１５、手掛穴１６からなり、ベッドを積み重ねて補強枠１１に乗せ、台車１を傾けることにより移動できる。空のときに転倒しないように先端に重石１４を取り付ける。
【０００９】図２は本考案の幼児用ベッド庫の構成を説明するための図で（ａ）は断面図、（ｂ）は斜視図を示す。
（ａ）は断面図で箱２は上板２１、側板２２、裏板２３からなり、台車１、とベッド３        を埃から守り、園児のいたずらによって崩れ落ちる危険を防ぐ。
（ｂ）は斜視図で台車１と、ベッド３を収納する箱２を示す。
【産業上の利用可能性】
【００１０】数個のベッドを収納し移動をしやすくする、幼児用ベッド庫を提供する。
【符号の説明】
【００１１】１  台車
１１  補強枠
１２  戸車
１３  ゴム製足
１４  重石
１５  前板
１６  手掛穴
２  箱
２１  上板
２２  側板
２３  裏板
３  ベッド
【図１】
0003179809.tif 000003
【図２】
0003179809.tif 000004
【手続補正書】
【提出日】平成24年8月28日(2012.8.28)
【手続補正１】
【補正対象書類名】実用新案登録請求の範囲
【補正対象項目名】全文
【補正方法】変更
【補正の内容】
【実用新案登録請求の範囲】
【請求項１】
台車と収納する箱を備え、台車に複数のベツドを乗せて箱に収容できるようにしたことを特徴とする幼児用ベッド庫。
【手続補正２】
【補正対象書類名】明細書
【補正対象項目名】０００９
【補正方法】変更
【補正の内容】
【０００９】図２は本考案の幼児用ベッド庫の構成を説明するための図で（ａ）は断面図、（ｂ）は斜視図を示す。
（ａ）は断面図で箱２は上板２１、側板２２、裏板２３からなり台車１、ベッド３を          埃から守り、園児のいたずらによって崩れ落ちる危険を防ぐ。
（ｂ）は斜視図で台車１と、ベッド３を収納する箱２を示す。
台車と収納する箱を備え、台車に複数のベツドを乗せて箱に収容できる。
(57)【要約】      （修正有）【課題】コンパクトに収納し鍵も入れることのできる、携帯サドルカバーを提供する。【解決手段】サドルカバー１は、開口部にゴム２を有する。収納袋３は、表地側と裏地側のそれぞれにフック５ａを付け、サドルカバー１の裏地後方部に裏地同士を合わせた状態で一部縫着する。収納袋３に両親指を差し込み残りの指でサドルカバー１を集めて押し込むような形で裏返すことにより、サドルカバー１を収納袋３に簡単に収納することができる。【選択図】図１
0003179802.tif 000002
【実用新案登録請求の範囲】
【請求項１】
サドルカバーの裏地後方部に、表地側と裏地側のそれぞれにフックを取り付けた収納袋を、裏地同士を合わせた状態で一部縫着する。サドルカバーを押し込むような形で裏返すことにより、簡単に収納可能にすることが特徴の携帯サドルカバーである。
【考案の詳細な説明】
【技術分野】
【０００１】  本考案は、サドルの汚れから衣服を守り、駐輪時は鍵も併せてコンパクトに収納しバック等に取付可能な携帯サドルカバーである。
【背景技術】
【０００２】  駐輪時の自転車のサドルは、雨や風等により常に埃・粉塵等の汚れが付いている。通常自転車を使用する際は、濡れていない限り拭いたりせずに使用しているので衣服に汚れがついてしまう。特に白や淡い色の衣服に付く汚れは目立つものである。しかし、サドルカバーを常時装着しているままではサドルカバー自体も汚れてしまうため、衣類にもついてしまう。さらに、鍵も保管したところを忘れてしまうことがある。
【考案の概要】
【考案が解決しようとする課題】
【０００３】▲１▼サドルの汚れを衣服に付けないこと。▲２▼サドルカバーの着脱を簡単にし、乗車時のみ使用できるようにする。▲３▼サドルカバーの持ち運びの負担を軽減する。▲４▼サドルカバーを繰り返し使用できるようにする。▲５▼乗車時に同時に使用する鍵を併せて収納できるようにする。
【課題を解決するための手段】
【０００４】▲１▼サドルの汚れを衣類に付けないためには、サドルカバーを使用する。▲２▼サドルカバーはサドルの形に合わせて作成し、開口部にはゴムを使用することにより着脱をしやすくする。▲３▼持ち運びの負担を軽減するために収納袋を取り付け、使用しない時には簡単に収納できるようにする。そのままバック等に入れてもよいが、収納袋の外側にフックを取り付けることにより、バック等に取り付け可能とする。▲４▼サドルカバーの材質は、皺になりにくい布を使用することにより、収納袋に収納しても、洗濯をしても、きれいな状態で使用できる。▲５▼収納袋の内側にもフックを付け、鍵を収納できるようにする。駐輪時には収納袋に鍵を付けサドルカバーを一緒に収納することができ、使用時には収納袋からサドルカバーを引き出すと同時に鍵も出るので手間なくサドルカバーと鍵を同時に使用することができる。
【図面の簡単な説明】
【０００５】
【図１】サドルカバーと収納袋
【図２】サドルカバーの下部と収納袋の縫着部分
【図３】サドルカバーの収納説明
【図４】バックに取り付けた様子
【符号の説明】
【０００６】  １  サドルカバー本体
２  開口部ゴム
３  収納袋
４  輪っか
５  フック
６  縫着部分
【図１】
0003179802.tif 000003
【図２】
0003179802.tif 000004
【図３】
0003179802.tif 000005
【図４】
0003179802.tif 000006
(57)【要約】      （修正有）【課題】人身事故防止対策のなされたリモートコントロールのりもの安全対策システムを提供する。【解決手段】危険環境を脱するための無人操縦を、ステレオＴ．Ｖ．カメラ３、の立体映像を超音波運用カードコントローラ５、のカメラアイナビゲーション７、で感知して、操作する事によりのりもの１、の有するコンピュータコントロールボックス６、とのリモートコントロールのりものを構成し、更にのりもの１、に設けた焦電型人体感知センサー２、により危険環境に入った人体への赤色灯とアラーム音声発生装置４、が働くリモートコントロールのりもの安全対策システム。【選択図】図１
0003179822.tif 000002
【実用新案登録請求の範囲】
【請求項１】
超音波運用カードコントローラによるリモートコントロール目的のコンピュータコントロールボックスを有したのりものに、焦電型人体感知センサーと対応する赤色灯とアラーム音声発生装置を備えたリモートコントロールのりもの安全対策システム。
【請求項２】
ステレオＴ．Ｖ．カメラを備えたのりものからの超音波カードコントローラのカメラアイナビゲーション情報により、リモコンをを可能とする事を特徴とする前述の請求項１、に記載のリモートコントロールのりもの安全対策システム。
【考案の詳細な説明】
【技術分野】
【０００１】
本考案は、従来のリモートコントロールのりもの安全対策システムに於ける付加補助装置に関する。
【背景技術】
【０００２】（公序良俗違反につき、不掲載）リモコン超音波操縦の海・河川底運用建設機械があります。
【考案の開示】
【考案が解決しようとする課題】
【０００３】
しかしながら、そののりものの運用範囲に人体が存在しないという恵まれた環境（海・河川）用途に限られており、野菜市場、スーパーマーケットに於けるフォークリフト運用のような多くの人体の存在する運用範囲で人身事故を多発するという欠点がある。
【０００４】
本考案は、上記実情に鑑みてなされたものであり、人身事故多発撲滅対策がなされている。
【課題を解決するための手段】
【０００５】
上記目的を達成するため考案は、人身事故多発撲滅対策として次の構成を含むことを特徴としている。
ステレオＴ．Ｖ．カメラの立体映像を超音波運用カードコントローラーのカメラナビゲーションとのりものに設けたコンピュータコントロールボックス、焦電型人体感知センサーそして赤色灯とアラーム音声発生装置を付加補助装置として構成するものである。
【考案の効果】
【０００６】
本考案により、その構成に人身事故多発撲滅対策の付加補助装置を採用する事によるリモートコントロールのりもの安全対策システムができる。
【図面の簡単な説明】
【０００７】
【図１】本考案のリモートコントロールのりもの安全対策システム。
【考案を実施するための形態】
【０００８】
本考案の実施の形態の一例について図面を参照しながら説明する。
リモートコントロールのりもの安全対策システムは、図１に示すように、のりもの１、に備えたコンピュータコントロールボックス６、と焦電型人体感知センサー２、ステレオＴ．Ｖ．カメラ３、赤色灯とアラーム発生装置４、それに、超音波運用カードコントローラ５、およびその映像表示カメラアイナビゲーション７、で構成されるものである。
【符号の説明】
【０００９】
1.  のりもの（カウンタバランス  フォークリフト  バッテリ式の例）
2.  焦電型人体感知センサー
3.  ステレオＴ．Ｖ．カメラ
4.  赤色灯とアラーム音声発生装置
5.  超音波運用カードコントローラ
6.  コンピュータコントロールボックス
7.  カメラアイナビゲーション
【図１】
0003179822.tif 000003
【手続補正書】
【提出日】平成24年9月6日(2012.9.6)
【手続補正１】
【補正対象書類名】明細書
【補正対象項目名】０００２
【補正方法】変更
【補正の内容】
【０００２】
リモコン超音波操縦の海・河川底運用建設機械があります。
(57)【要約】      （修正有）【課題】一般家庭の調理で即時にイクラを取りだすことが出来るイクラ抽出器を提供する。【解決の手段】円形又は角形に形成された枠の内部にナイロン製０．７ｍｍφの紐を１０ｍｍ角に張る。【選択図】図１
0003179811.tif 000002
【実用新案登録請求の範囲】
【請求項１】
図１に示す（１）の外枠。
【請求項２】
図１に示す（２）の網目１０ｍｍ角の目と０．７ｍｍφのナイロン紐
【請求項３】
図１に示す、（１）、（２）を組み合わせたもの。
【考案の詳細な説明】
【技術分野】
【０００１】この発明は、鮭の筋子から、イクラを作り出す物である。
【背景技術】
【０００２】従来、イクラを作るのに鮭の筋子を温水につけたり、化学調味料につけたりして、作っている。
【考案の概要】
【考案が解決しようとする課題】鮭の筋子から、イクラを作りだす作業が、簡単にできるようになる。
【課題を解決するための手段】図１に示すように、枠の内部に細い紐を網目にして取り付ける。
【考案の効果】鮭の筋子から内部の卵をつぶさずに、イクラを作ることが出来る。
【図面の簡単な説明】外枠の形状は、円形又は角形とする。
【図１】平面図
【図２】断面図
【考案を実施するための形態】
外枠の内部に、（２）のように細い紐を網目に張る。
【実施例】家庭内の調理で、すでに実証して効果を確認している。
【産業上の利用可能性】（イ）一般の家庭内調理で、手軽にイクラを作ることが出来る。
【図１】
0003179811.tif 000003
【図２】
0003179811.tif 000004
【手続補正書】
【提出日】平成24年8月31日(2012.8.31)
【手続補正１】
【補正対象書類名】実用新案登録請求の範囲
【補正対象項目名】全文
【補正方法】変更
【補正の内容】
【実用新案登録請求の範囲】
【請求項１】
枠の表面は平滑な面で円形又は角形に形成され内部にナイロン製０．７ｍｍφの紐を１０ｍｍ角に張ったイクラ抽出器。
(57)【要約】      （修正有）【課題】個人や故人がとても大切にしていたペットに、自身の大切にしていた着衣やバッグ等の装飾具をリメイクして使用したり、思い出の観賞用として残したりしたい飼い主のニーズに応えることができるペット用装飾具を提供する。【解決手段】装飾具本体１と、近親者の遺品、身の回り品を所定の形状に裁断して装飾具本体に重ね合わせて一体化した装飾部材とで成す。装飾部材は、個人、または故人の愛用のネクタイを裁断して形成する。【選択図】図１
0003179853.tif 000002
【実用新案登録請求の範囲】
【請求項１】
装飾具本体と、近親者の遺品、身の回り品を所定の形状に裁断して前記装飾具本体１に重ね合わせて一体化した装飾部材とで成してことを特徴とした犬、猫等のペット用装飾具。
【請求項２】
前記装飾部材は、個人、または故人の愛用のネクタイを裁断して形成したことを特徴とする請求項１記載の犬、猫等のペット用装飾具。
【請求項３】
前記装飾部材は、個人、または故人の愛用の着物を裁断して形成したことを特徴とする請求項１記載の犬、猫等のペット用装飾具。
【請求項４】
前記装飾部材は、個人、または故人の愛用のエプロンを裁断して形成したことを特徴とする請求項１記載の犬、猫等のペット用装飾具。
【請求項５】
前記装飾部材は、個人、または故人の愛用のバッグを裁断して形成したことを特徴とする請求項１記載の犬、猫等のペット用装飾具。
【考案の詳細な説明】
【技術分野】
【０００１】
本考案は首輪やリード、胴輪、衣類等のペット用装飾具に関する。
【背景技術】
【０００２】
一般的に犬、猫等のペット用の装飾具は、市販の中から、個人の好みの物を選んで使用している。ところで、人にはそれぞれ長年の思い入れのある物は多くあるが、全てを残すことはいろんな条件で困難である。そこで、個人や故人の大切にしている、又は大切にしていたものを、大切にしているペットの装飾具にリメイクして使用したり、思い出として残したりできるのであればそうしたいというニーズに応える加工。
【先行技術文献】
【特許文献】
【０００３】
【特許文献１】特開平１０−１９２１１４公報
【考案の概要】
【考案が解決しようとする課題】
【０００４】
個人や故人がとても大切にしていたペットに、自身の大切にしていた着衣やバッグ等の装飾具をリメイクして使用したり、思い出の観賞用として残したりしたい飼い主のニーズに応えることができる。
【課題を解決するための手段】
【０００５】
本考案は、装飾具本体と、近親者の遺品、身の回り品を所定の形状に裁断して前記装飾具本体に重ね合わせて一体化した装飾部材とで成してことを特徴としたものである。
【０００６】
更に本考案は、装飾部材を、個人、または故人の愛用のネクタイを裁断して形成したことを特徴としたものである。
【０００７】
また、本考案は、装飾部材を、個人、または故人の愛用の着物を裁断して形成したことを特徴としたものである。
【０００８】
また、本考案は、装飾部材を、個人、または故人の愛用のエプロンを裁断して形成したことを特徴としたものである。
【０００９】
また、本考案は、装飾部材を、個人、または故人の愛用のバッグを裁断して形成したことを特徴としたものである。
【考案の効果】
【００１０】
請求項１により、個人や故人がとても大切にしていたペットに、自身の大切にしていた着衣やバッグ等の装飾具をリメイクして使用したり、思い出の観賞用として残したりしたい飼い主のニーズに応えることができる。
【００１１】
請求項２により、特にネクタイを裁断して形成しているので、ことを特徴とする請求項１記載の犬、猫等のペット用装飾具。
【００１２】
請求項３により、特に着物を裁断して形成しているので、ことを特徴とする請求項１記載の犬、猫等のペット用装飾具。
【００１３】
請求項４により、特にエプロンを裁断して形成しているので、ことを特徴とする請求項１記載の犬、猫等のペット用装飾具。
【００１４】
請求項５により、特にバッグを裁断して形成しているので、ことを特徴とする請求項１記載の犬、猫等のペット用装飾具。
【図面の簡単な説明】
【００１５】
【図１】ペット用装飾具の斜視図
【図２】同上の異なる実施例を示す斜視図
【図３】ペット用装飾具を構成するネクタイの斜視図
【図４】同上のリメイクした装飾具の斜視図
【図５】ペット用装飾具を構成する着物の斜視図
【図６】同上のリメイクした装飾具の斜視図
【図７】ペット用装飾具を構成するエプロンの斜視図
【図８】同上のリメイクした装飾具の斜視図
【図９】ペット用装飾具を構成するバッグの斜視図
【図１０】同上のリメイクした装飾具の斜視図
【図１１】装飾部材の拡大図であって、（イ）は正面図、（ロ）は断面図
【図１２】同上の異なる実施例を示す装飾部材の拡大図であって、（イ）は正面図、（ロ）は断面図
【考案を実施するための形態】
【００１６】
以下本考案を実施形態の図面に基づいて説明する。
図１は装飾具本体１をペットＰの首輪２として用いた実施例を示し、適宜リード３を引き出している。而して、この装飾具本体１は、近親者の遺品、身の回り品を所定の形状に裁断して前記装飾具本体１に重ね合わせて形成している。具体的には図１１の（イ）、（ロ）に示す如く、装飾具本体１を構成する芯材１ａにカール状に巻き付けている。而して、この芯材１ａは皮革、合成樹脂、繊維にて形成されており、例えば図１１は接着剤止めとしており、図１２はＺ−Ｚ線での縫合としてもよい。更に図２に示す如く、胴輪４としてもよい。而して、図３はペット用装飾具１を構成する原形としてのネクタイＶを示しており、適宜裁断して、図４に示す如く、装飾具本体１の一例である首輪２に展開している。続いて、図５はペット用装飾具１を構成する原形としての着物Ｗを示しており、適宜裁断して、図６に示す如く、装飾具本体１の一例である胴輪４とリード３に展開している。続いて、図７はペット用装飾具１を構成する原形としてのエプロンＸを示しており、適宜裁断して、図８に示す如く、装飾具本体１の一例である衣類５に展開している。続いて、図９はペット用装飾具１を構成する原形としてのバッグＹを示しており、適宜裁断して、図１０に示す如く、装飾具本体１の一例であるリード３に展開している。
【符号の説明】
【００１７】
Ｐ        ペット
１        装飾具本体
２        首輪
３        リード
４        胴輪
５        服
１ａ      芯材
【図１】
0003179853.tif 000003
【図２】
0003179853.tif 000004
【図３】
0003179853.tif 000005
【図４】
0003179853.tif 000006
【図５】
0003179853.tif 000007
【図６】
0003179853.tif 000008
【図７】
0003179853.tif 000009
【図８】
0003179853.tif 000010
【図９】
0003179853.tif 000011
【図１０】
0003179853.tif 000012
【図１１】
0003179853.tif 000013
【図１２】
0003179853.tif 000014
(57)【要約】      （修正有）【課題】顔面全体の保湿・保温を図ることができる様に、頸部も含め顔面全体をカバーするマスクを提供する。【解決手段】保湿や保温による、美肌促進や睡眠時開眼者への眼球保護、気道保温によるカゼ予防を図るべく、目鼻だけでなく頸部を含む顔全体をカバーする形状にマスクを形成する。すなわち、マスクの口と鼻を覆っている布の部分（マスクの本体部分）を目や額（又頸部）まで広くカバー出来るよう布面（本体部分）を広くする。【選択図】図１
0003179831.tif 000002
【実用新案登録請求の範囲】
【請求項１】
マスクの保湿・保温作用を利用し、顔面全体（又頸部）をカバーする形状とする事で、美肌促進や睡眠時開眼者への眼球保護等の効果を期待する、顔面（頸部）カバー形マスク。
【考案の詳細な説明】
【技術分野】
【０００１】  本考案は、顔面全体（又、頸部にかけて）をカバーするマスクに関するものである。
【背景技術】
【０００２】  従来のマスクは口部と鼻部のみのカバーを目的とするものであった。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】  従来の医療用マスクは主に細菌やほこり等の吸引から人体を守る事を主な目的として使用されるものであった。
しかし、マスクには別に（主に呼気による）保湿・保温作用がある。この機能を利用し、又新たに使用目的としたマスクの形状を考案する。これにより、美肌促進や睡眠時開眼者への眼球保護（気道保温によるカゼ予防）を行う事ができる。
（従来の医療用マスクの形状では口部と鼻部のカバーだけが目的であった。）
【課題を解決するための手段】
【０００６】  顔面全体（又頸部）をカバー出来る形状にする事で、美肌促進作用や睡眠時開眼者の眼球保護を目的とした新しいタイプのマスクを提案する。
（鼻と口だけではなく、より広い範囲をカバーする形状とする事で新しい目的のマスクを提案するものである。）
【考案の効果】
【０００７】  保湿や保温による、美肌促進や睡眠時開眼者への眼球保護、気道保温によるカゼ予防。
【図面の簡単な説明】
【０００８】
【図１】本考案の顔面カバーマスクの一実施例を示す正面図である。
【図２】本考案の顔面カバーマスクの一実施例を示す側面図である（首あてがある場合）。
【図３】本考案の顔面カバーマスクの一実施例を示す上方図である。
【考案を実施するための形態】
【０００９】  口部と鼻部だけでなく顔面全体（又頸部）をカバーする形状とする。
【実施例】
【００１０】  マスクの口と鼻を覆っている布の部分（マスクの本体部分）を目や額（又頸部）まで広くカバー出来るよう布面（本体部分）を広くする。
【産業上の利用可能性】
【００１１】  睡眠時や飛行機の乗車時等に使用する事で顔面を乾燥から守り、保湿・保温する事で美肌効果や睡眠時開眼者の眼球保護効果を期待する（また美容液の浸透力を高める）。
【符号の説明】
【００１２】１  マスク本体
２  耳かけ
３  首あてがある場合（結ぶ、首に巻く等により固定）
【図１】
0003179831.tif 000003
【図２】
0003179831.tif 000004
【図３】
0003179831.tif 000005